(57)【要約】      （修正有）【課題】支柱から複数本のアームを放射状に延伸させて設けてなり、これらのアームに天板等の家具用部材をそれぞれ下方から支持させてなる家具に、少ない部品点数及び少ない組立工数で配線支持具を設ける。【解決手段】内部に配線通路１４を有する脚支柱１と、この脚支柱１から放射状に延伸させて設けてなり家具用部材たる天板をそれぞれ下方から支持する複数本のアーム３１と、前記アーム３１に支持させてなる１又は複数の配線支持具たるトレイ３４とを具備するテーブルにおいて、前記配線通路１４と前記トレイ３４上方の空間とを連通させる。【選択図】図１１
2011050507.tif 000002
【特許請求の範囲】
【請求項１】
内部に配線通路を有する支柱と、この支柱から放射状に延伸させて設けてなり天板等の家具用部材をそれぞれ下方から支持する複数本のアームと、前記アームに支持させてなる１又は複数の配線支持具とを具備するものであって、前記配線通路と前記配線支持具上方の空間とを連通させていることを特徴とする家具。
【請求項２】
前記配線支持具のうち少なくとも１つを着脱可能に構成している請求項１記載の家具。
【請求項３】
前記支柱に前記配線通路を遮蔽するキャップを着脱可能に設けているとともに、前記キャップの上方に着脱可能な前記配線支持具を装着するようにしている請求項２記載の家具。
【請求項４】
前記配線支持具を挟んで前記支柱と反対側にオプション部材をさらに取り付け可能である請求項１、２又は３記載の家具。
【請求項５】
前記アーム又は前記オプション部材のうち一方に設けた取付爪と、他方に設けた取付孔とを互いに係り合わせてなるオプション取付部を有する請求項４記載の家具。
【請求項６】
前記アームにより天板を支持し、この天板の下方に配線支持具を配設しているものであって、前記天板上方の空間と、前記天板及び前記配線支持具の間の空間とを連通させている請求項１、２、３、４又は５記載の家具。
【発明の詳細な説明】
【技術分野】
【０００１】
本発明は、支柱から複数本のアームを放射状に延伸させて設けてなり、これらのアームに天板等の家具用部材をそれぞれ下方から支持させてなる家具に関する。
【背景技術】
【０００２】
従来、脚支柱に天板等の家具用部材を支持させてなる家具において、家具用部材の下方に配線支持具を設け、この配線支持具にコンセント等の配線具を支持させる態様の種々の家具が知られている（例えば、特許文献１を参照）。
【０００３】
ところで、前記特許文献１記載の家具においては、複数本の脚支柱に天板を支持させ、脚支柱間に配線支持具を架け渡してなる構成を有する。しかして、支柱から複数本のアームを放射状に延伸させて設けてなり、これらのアームに天板等の家具用部材をそれぞれ下方から支持させてなる家具においては、家具用部材の下方に配線支持具を設ける場合、このように脚支柱間に配線支持具を架け渡してなる構成を採用することが困難である。この場合、例えば天板の下面から垂下して設けた吊下具に配線支持具を支持させる態様が考えられる。しかし、このような態様の家具においては、脚支柱の上端部に天板を支持するための天板受けを設ける必要がある。すなわち、天板の下方に前記天板受け及び前記吊下具の双方を設ける必要があり、部品点数を多く必要とするとともに、天板の下方に前記吊下具を取り付ける手間も必要となる。
【先行技術文献】
【特許文献】
【０００４】
【特許文献１】特開２００３−２４１５５号公報
【発明の概要】
【発明が解決しようとする課題】
【０００５】
本発明は、以上のような事情に着目してなされたもので、支柱から複数本のアームを放射状に延伸させて設けてなり、これらのアームに天板等の家具用部材をそれぞれ下方から支持させてなる家具に、少ない部品点数及び少ない組立工数で配線支持具を設けることを目的とする。
【課題を解決するための手段】
【０００６】
すなわち本発明に係る家具は、内部に配線通路を有する支柱と、この支柱から放射状に延伸させて設けてなり天板等の家具用部材をそれぞれ下方から支持する複数本のアームと、前記アームに支持させてなる１又は複数の配線支持具とを具備するものであって、前記配線通路と前記配線支持具上方の空間とを連通させていることを特徴とする。
【０００７】
このような構成によれば、天板等の家具用部材を支持するためのアームにより前記配線支持具をも支持させることにより、前記支柱や前記天板等の家具用部材には配線支持具と接続するための特別な加工を施す必要がなく、少ない部品点数及び少ない加工工数によりこのような家具に配線支持具を設置することができる。しかも、前記支柱内の配線通路と前記配線支持具上方の空間とを連通させているので、前記配線通路内に配線を収納して見栄えを整えることができるとともに、前記配線通路内に収納した配線を前記配線支持具に支持させたコンセント等の配線具に接続し、この配線具にさらに前記家具用部材上からの配線を接続する態様を実現できる。なお、本発明において、「天板等の家具用部材」とは、棚板等の物品を載せ置くことが可能な部材全般を示す概念である。
【０００８】
このような家具において、より多様な使用態様に対応できるようにするには、前記配線支持具のうち少なくとも１つを着脱可能に構成しているものが望ましい。このようなものであれば、配線支持具の大きさ等に対応させて家具に取り付ける配線支持具の数を増減させる態様や、配線支持具が不要である場合に完全に取り外す態様を実現できるからである。
【０００９】
前段で述べたような家具において、配線作業の利便性の向上をも図ることができるようにするには、前記支柱に前記配線通路を遮蔽するキャップを着脱可能に設けているとともに、前記キャップの上方に着脱可能な前記配線支持具を装着するようにしているものが望ましい。このようなものであれば、キャップ及び配線支持具を取り外した状態で、配線通路内と配線支持具の上方となるべき空間とを完全に連続させ、この空間に床面等から導出させた既設の配線を投げ込むことができるからである。
【００１０】
また、このような家具において、より多様な使用態様に対応できるようにするには、前記配線支持具を挟んで前記支柱と反対側にオプション部材をさらに取り付け可能であるものも望ましい。このようなものであれば、配線支持具の外側にオプション部材を取り付けてこのような家具をさらに有効に利用することができるからである。
【００１１】
前段で述べたような家具において、特に、前記アーム又は前記オプション部材のうち一方に設けた取付爪と、他方に設けた取付孔とを互いに係り合わせてなるオプション取付部を有するものであれば、取付爪と取付孔とを係わり合わせることでオプション部材の取り付けを行うことができるので、配線支持具の外側へのオプション部材の取り付け作業に要する手間を少なくできる。
【００１２】
また、このような家具の前記家具用部材が天板であり、天板上にパソコン等の機器を載せ置いて利用する際に好適な態様として、前記アームにより天板を支持し、この天板の下方に配線支持具を配設しているものであって、前記天板上方の空間と、前記天板及び前記配線支持具の間の空間とを連通させているものが挙げられる。このようなものであれば、前記配線通路内に収納した配線を前記配線支持具に支持させたコンセント等の配線具に接続した上で、この配線具にさらに前記家具用部材上からの配線を接続する態様を実現できる。
【発明の効果】
【００１３】
本発明によれば、支柱から複数本のアームを放射状に延伸させて設けてなり、これらのアームに天板等の家具用部材をそれぞれ下方から支持させてなる家具において、天板等の家具用部材を支持するためのアームにより前記配線支持具をも支持させることにより、前記支柱や前記天板等の家具用部材には配線支持具と接続するための特別な加工を施す必要がなく、少ない部品点数及び少ない加工工数によりこのような家具に配線支持具を設置することができる。
【図面の簡単な説明】
【００１４】
【図１】本発明の一実施形態の天板付家具を示す斜視図。
【図２】同天板付家具の側面図。
【図３】同天板付家具の棚装着前の側面図。
【図４】同天板付家具の平面図。
【図５】支柱及びベースを示す斜視図。
【図６】支柱及びベースを示す分解斜視図。
【図７】支柱及びベースを示す側断面図。
【図８】支柱を示す平断面図。
【図９】ベースの上プレート及びカバー部材の内方端部を示す平断面図。
【図１０】カバー部材の脚羽根への取付構造を示す平断面図。
【図１１】支柱、天板受け及び蓋体受けを示す分解斜視図。
【図１２】棚の家具本体への取付構造を示す分解斜視図。
【図１３】配線立ち上げカバーのトレイへの取付構造を示す分解斜視図。
【図１４】トレイの基体を示す平面図。
【図１５】トレイの基体を示す側面図。
【図１６】天板受けの内方端部、蓋体受け、蓋体及び天板の開口部を示す要部側断面図。
【図１７】天板受けの下プレート及びアームの内方端部を示す平断面図。
【図１８】トレイ及び棚を示す、天板をオミットした状態の平面図。
【発明を実施するための形態】
【００１５】
本発明の一実施形態を、図面を参照して説明する。本実施形態に係る天板付家具を、図１ないし図４に示す。この家具は、物品を載置可能な家具用部材たる天板４を脚構造体に支持させてなる、いわゆる単柱テーブルである。
【００１６】
脚構造体は、直立する脚支柱１と、脚支柱１の下端部に結合する脚ベース２と、脚支柱１の上端部に結合する天板受け３とを構成要素とする。
【００１７】
支柱１は、略等断面形状をなして鉛直に伸長した、例えばアルミ押出成形品である。支柱１は、その内部に、上下方向に延伸する配線通路１４を有する。より具体的に述べると、支柱１は、図６ないし図８、図１１、図１６、図１７に示すように、断面視管状の中心軸１１から複数（図示例では、三枚）のリブ１２が放射状に延出し、それらリブ１２の先端にリブ１２同士を繋ぐ外壁１３を接合している内部形状をなしており、中心軸１１及びリブ１２によって隔てられる複数の部分空間を包有している。これら部分空間の少なくとも一つが、コード類を配線するための配線通路１４として機能する。
【００１８】
支柱１の外壁１３は概ね円筒状であるが、配線通路１４に臨む一部を上下に亘り切り欠いて開口を形成しており、その開口１５を介して配線通路１４を外側方に開放せしめている。外壁１３における開口縁近傍部位の外面は、他の部位と比べて若干内方に窪んでいる。外壁１３の内面には、周方向に沿って間欠的に複数（図示例では、六個）のＣ字管１６を設けてある。Ｃ字管１６は、支柱１の上下端から雄ねじ部材２５、３６が螺入される雌ねじ孔として、当該雄ねじ部材２５、３６を以てベース２の脚羽根２１及び天板受け３のアーム３１を支柱１に固定するために利用される。
【００１９】
外壁１３の開口１５には、着脱自在のキャップ１７を装着してこれを遮蔽することができる。キャップ１７は、略等断面形状をなして鉛直に伸び、その全長が支柱１に略等しい。キャップ１７は、外壁１３と同程度の曲率で湾曲した薄板状の基板から、内方に向かって係合片１７１を突出させたものである。係合片１７１は左右に離間して対をなしており、両係合片１７１間の外法は外壁１３の開口幅に対応する。各係合片１７１の先端部は、互いに離反する方向に突き出た鉤爪状に成形している。キャップ１７を外壁１３の開口１５に装着するには、係合片１７１を開口１５に挿入して、鉤爪状の先端部を開口縁近傍部位の内面側に係合させる。キャップ１７を支柱１に装着したとき、キャップ１７の基板の両側部が支柱１の外壁１３の開口縁近傍部位の外面側にある窪み１３１に収まり、キャップ１７の外表面と支柱１の外周面とが連続する様相となる。
【００２０】
ベース２は、図５ないし図１０に示すように、放射方向に延伸する複数（図示例では、六本）の脚羽根２１と、各脚羽根２１の内方端部が集まる中央でこれら脚羽根２１を一体的に連結する上下のプレート２２、２３と、脚羽根２１間に形成される平面視略部分円状の間隙を隠蔽するカバー部材２４とを具備する。
【００２１】
脚羽根２１の基体は、底壁２１１と、底壁２１１の両側縁から立ち上がる側壁２１２とを備えてなり、これら底壁２１１及び側壁２１２が上方に開放したチャネル形状をなす。但し、側壁２１２の内方端部は、底壁２１１の内方端よりも内方に延出している。脚羽根２１の外方端部において、底壁２１１の下面にはアジャスタ２１３を装着しており、脚羽根２１はこのアジャスタ２１３を介して床面に接地する。
【００２２】
加えて、後述するカバー部材２４側の止着具２４３が差し込まれる受け具２１４を設けている。受け具２１４は、脚羽根２１の基体に上方から被さる樹脂成形品で、その下端部にある爪２１７を底壁２１１と側壁２１２とが交差する隅部に形成した切り欠き２１６に係合することによって基体に取り付ける。この受け具２１４は、脚羽根２１の延伸方向、換言すれば側壁２１２の法線方向に対し交差する方向に開口した差込口２１８を有している。差込口２１８は、脚羽根２１の両側に対をなして存在する。隣り合う二本の脚羽根２１の間隙内に位置する（別々の受け具２１４の）二つの差込口２１８の開口方向は、略平行となっている。六本の脚羽根２１間に約６０°の角度の間隙が形成されている図示例では、脚羽根２１の延伸方向と当該脚羽根２１に取り付けた受け具２１４の差込口２１８の開口方向とが約３０°の角度をなしている。
【００２３】
脚羽根２１の側壁２１２は、外方端部から内方端部に向かうにつれて徐々に高さを増し、内方端近傍で急激に伸び上がるように上縁が立ち上がっており、また下縁が下プレート２２の厚み分程度上方に凹んで退避している。側壁２１２の上縁には上壁２１５を溶接やねじ止め等により取り付け、脚羽根２１の基体を上方から閉塞する。
【００２４】
各脚羽根２１は、それぞれの内方端部を上下のプレート２２、２３で挟み、その状態で内方端部をプレート２２、２３に溶接等により固着して一体化する。このとき、径方向に対向する脚羽根２１の側壁２１２の内方端近傍の下縁の凹欠に下プレート２２が収まり、脚羽根２１の側壁２１２の内方端近傍に上プレート２３が載る。
【００２５】
下プレート２２は、支柱１の外周に略等しい外径の円板材であり、周方向に沿って間欠的に複数（図示例では、六つ）のねじ挿通孔２２１を穿ってある。ねじ挿通孔２２１は、雄ねじ部材２５の軸部を通すためのものである。各ねじ挿通孔２２１は、平面視脚羽根２１の底壁２１１と重ならないよう、底壁２１１の内方端よりも内方に所在する。
【００２６】
上プレート２３は、支柱１の外周よりもカバー部材２４（の上壁２４１）の板厚分だけ外径の小さい円板材であり、周方向に沿って間欠的に複数（図示例では、六つ）のねじ挿通用開口２３１を切り欠いてある。ねじ挿通用開口２３１は、下プレート２２のねじ挿通孔２２１と同様、雄ねじ部材２５の軸部を通すためのものであり、それぞれが平面視各ねじ挿通孔２２１と重なり合う。
【００２７】
脚羽根２１を支柱１に固定するには、上プレート２３を支柱１の下端面に当接させ、下方から雄ねじ部材２５をねじ挿通孔２２１及びねじ挿通用開口２３１に挿し通して、Ｃ字管１６の下端部位に形成した雌ねじに螺合させればよい。
【００２８】
なお、本実施形態では、脚羽根２１を支柱１に固定した際に、特定の二本の脚羽根２１間の間隙である床上空間が配線通路１４に直に連通するように構成している。そのために、当該二本の脚羽根２１の（間隙に面する側の）側壁２１２を内方端部で屈折させて間隙の幅を確保するとともに、上プレート２３には当該二本の脚羽根２１の側壁２１２に沿って配線用開口２３２を切り欠き形成している。配線用開口２３２の外縁は、平面視支柱１の外壁１３の開口１５と重なり、その開口幅は支柱１の外壁１３の開口幅に略等しい。これにより、前記二本の脚羽根２１間の床上空間が、配線用開口２３２を介して配線通路１４に連なる。そして、床上空間、配線用開口２３２及び配線通路１４が一貫して家具の側方に開放することとなる。
【００２９】
カバー部材２４は、全体として支柱１の外周を略全周に亘り包囲し、支柱１の周りの床を遮蔽するもので、脚羽根２１に対して着脱自在である。カバー部材２４は、脚羽根２１間の間隙の数と同数（図示例では、六枚）に分かたれている。各カバー部材２４は、平面視略部分円状をなす上壁２４１と、上壁２４１の円弧状の外方端にて下方に垂下する周壁２４２とを備えてなる。上壁２４１は、脚羽根２１の側壁２１２の上縁（または、上壁２１５の上面）に沿うように傾斜している。上壁２４１の内方端部は上方に湾曲し、その上端縁は支柱１の外周に略等しい径の部分円弧状をなす。
【００３０】
カバー部材２４の上壁２４１下、外方端近傍の部位には、当該カバー部材２４を脚羽根２１に止着するための止着具２４３を設けている。止着具２４３は、平面視略矢印形をなす先端部分が弾性変形を通じて縮小／拡開する樹脂成形品である。止着具２４３は、カバー部材２４の周方向両側に対をなして存在する。二個の止着具２４３の離間距離は、周方向に沿って隣り合う二本の脚羽根２１の間隙内に位置する二つの差込口２１８の離間距離に相当する。また、止着具２４３の向きは、差込口２１８の開口方向に略対向している。
【００３１】
カバー部材２４を脚羽根２１に装着するにあたっては、各カバー部材２４を支柱１の外壁１３の直下に外側方から略水平に差し入れ、各カバー部材２４に設けた止着具２４３を各脚羽根２１に設けた受け具２１４の差込口２１８に差し込む。止着具２４３の先端部分は、受け具２１４の差込口２１８の開口縁によって一旦圧縮され、その開口縁を越えた内奥に達したときに再び拡開して、差込口２１８の開口縁に内側から係合する抜け止めとなる。つまり、止着具２４３と受け具２１４とが、カバー部材２４を保定する保定手段としての役割を担う。
【００３２】
各カバー部材２４を装着した状態で、カバー部材２４の周方向両側部は脚羽根２１に乗り上げ、一のカバー部材２４の側端面が隣接する他のカバー部材２４の側端面に当接または極近接する。同時に、カバー部材２４の内方端部の上端面が支柱１の外壁１３の下端面に当接または極近接し、カバー部材２４の上壁２４１の上表面と支柱１の外周面とが連続する様相となる。結果として、カバー部材２４の上壁２４１が、脚羽根２１及び脚羽根２１間の間隙を上方から隠蔽し、かつ上プレート２３を外側方から隠蔽する。また、各カバー部材２４の周壁２４２が略連続した輪状をなして、脚羽根２１の外方端部を外側方から隠蔽する。
【００３３】
他方、天板受け３は、図１１ないし図１８に示すように、放射方向に延伸する複数（図示例では、四本）のアーム３１と、各アーム３１の内方端部が集まる中央でこれらアーム３１を一体的に連結する上下のプレート３２、３３と、アーム３１間に形成される平面視略部分円状の間隙を埋める配線支持具たるトレイ３４とを具備する。
【００３４】
アーム３１の基体は、底壁３１１と、底壁３１１の両側縁から立ち上がる側壁３１２とを備えてなり、これら底壁３１１及び側壁３１２が上方に開放したチャネル形状をなす。但し、側壁３１２の内方端部は、底壁３１１の内方端よりも内方に延出している。
【００３５】
アーム３１の外方端部には、天板４を下方から支持する天板支持部３１３を設けている。天板支持部３１３は、アーム３１の基体から上方に伸長し、概ね角筒状をなしており、その上端部にて水平に屈曲した水平片３１５を有している。水平片３１５は、天板４の下面に当接する。さらに、天板支持部３１３には、後述するオプション部材を取り付けるための取付孔３１６を穿ってある。取付孔３１６は、オプション部材側の取付爪７２５の先端部分を通過させることのできる開口幅を有した上部と、同取付爪７２５の先端部分を通過させることはできないが基端部分を通過させることのできる開口幅を有した下部とを上下に連接した形状をなす。
【００３６】
アーム３１の側壁３１２は、内方端近傍で上縁が上プレート３３の厚み分程度下方に凹んで退避し、また下縁が下プレート３２の厚み分程度上方に凹んで退避している。側壁３１２の上縁付近には、トレイ３４側の係止爪３４７が係合する係止孔３１４を複数（図示例では、二つ）、径方向に離間させて穿ち設けている。
【００３７】
各アーム３１は、それぞれの内方端部を上下のプレート３２、３３で挟み、その状態で内方端部をプレート３２、３３に溶接等により固着して一体化する。このとき、径方向に対向するアーム３１の側壁３１２の内方端近傍の下縁の凹欠に下プレート３２が、上縁の凹欠に上プレート３３がそれぞれ収まる。
【００３８】
天板受け３の下プレート３２は、ベース２の上プレート２３と同一形状である。即ち、周方向に沿って間欠的に複数（図示例では、六つ）のねじ挿通用開口３２１と、配線用開口３２２とをそれぞれ切り欠いている。
【００３９】
天板受け３の上プレート３３は、ベース２の下プレート２２と略同一形状であって、周方向に沿って間欠的に複数（図示例では、六つ）のねじ挿通孔３３１を穿ってある。各ねじ挿通孔３３１は、平面視アーム３１の底壁３１１と重ならないよう、底壁３１１の内方端よりも内方に所在しており、それぞれが各ねじ挿通用開口３２１と重なり合う。加えて、上プレート３３の中心に、雌ねじ孔３３２を穿っている。雌ねじ孔３３２は、後述する蓋体受け６を固定するために利用される。
【００４０】
アーム３１を支柱１に固定するには、下プレート３２を支柱１の上端面に当接させ、上方から雄ねじ部材３６をねじ挿通孔３３１及びねじ挿通用開口３２１に挿し通して、Ｃ字管１６の上端部位に形成した雌ねじに螺合させればよい。
【００４１】
本実施形態では、アーム３１を支柱１に固定した際に、特定の二本のアーム３１間の間隙が配線通路１４に直に連通するように構成している。そのために、当該二本のアーム３１の（間隙に面する側の）側壁３１２を内方端部で屈折させて間隙の幅を確保するとともに、下プレート３２に当該二本のアーム３１の側壁３１２に沿って配線用開口３２２を切り欠き形成している。配線用開口３２２の外縁は、平面視支柱１の外壁１３の開口と重なり、その開口幅は支柱１の外壁１３の開口幅に略等しい。これにより、前記二本のアーム３１間の間隙が、配線用開口３２２を介して配線通路１４に連なる。
【００４２】
トレイ３４は、天板４の下方にあって、天板４との間に配線具配置空間を形成する。即ち、給電コンセント、通信ネットワーク用ハブといった配線具や、その他各種の装置を配置する機能を提供する。トレイ３４は、全体として丸盆状をなすもので、アーム３１に対して着脱自在である。このトレイ３４は、アーム３１間の間隙の数と同数（図示例では、四枚）に分かたれている。各トレイ３４の基体は、平面視略部分円状をなす底壁３４１と、底壁３４１の円弧状の外方端にて上下に拡張した周壁３４２と、底壁３４１の下面に形成したリブ３４３と、底壁３４１の周方向両側部において下方に垂下した垂下壁３４４とを備えてなる。底壁３４１は、略水平な薄板であり、その内方端が支柱１の外径よりも径の大きい円弧状の端縁を有し、かつその端縁の中間部を外方に向けて切り欠いてある。この切り欠きの内周には、トレイ３４の一部をなす配線立ち上げカバー３５を装着するための支持片３４５を成形している。支持片３４５は、上面が底壁３４１の上面よりも低位置にあり、その複数箇所（図示例では、三箇所）にカバー装着孔３４６を穿っている。周壁３４２の下縁とリブ３４３の下縁とは、略同じ高さにある。各垂下壁３４４には、アーム３１の側壁３１２に設けた係止孔３１４に弾性係合可能な複数（図示例では、二個）の係止爪３４７を設けている。
【００４３】
トレイ３４をアーム３１に装着するにあたっては、当該トレイ３４をアーム３１に載せ置くようにして垂下壁３４４をアーム３１の基体内に挿入し、この垂下壁３４４をアーム３１の側壁３１２に内接させて係止爪３４７を係止孔３１４に押し入れ係合させる。これら係止爪３４７及び係止孔３１４は、トレイ３４をアーム３１に取り付けて支持させるためのトレイ取付部としての役割を担う。トレイ取付部は、径方向に離間した複数箇所（図示例では、二箇所）に存在していることとなる。
【００４４】
各トレイ３４を装着した状態では、周壁３４２及びリブ３４３の下縁がアーム３１の側壁の上縁に当接しながら、トレイ３４の周方向両側部がそれぞれアーム３１に保定される。それとともに、一のトレイ３４の底壁３４１の側端面が、隣接する他のトレイ３４の底壁３４１の側端面に当接または極近接する。また、各トレイ３４の周壁３４２が連続した輪状をなして、底壁３４１の直上の空間領域つまりは配線具配置空間を包囲する。トレイ３４の底壁３４１の内方端と支柱１の外周との間は、平面視所定距離離間する。
【００４５】
トレイ３４の内方端に取り付けるべき配線立ち上げカバー３５は、上方に向かって径が拡大する略部分円錐状の支柱被覆体３５１と、支柱被覆体３５１の上端部から外側方に屈曲した被支持片３５２とを備えている。支柱被覆体３５１は、一のアーム３１と他のアーム３１との間隙内、両アーム３１が交差する内方端近傍にあって、アーム３１の内方端部、プレート３２、３３及び配線用開口３３２を外側方から被覆する。被支持片３５２は、トレイ３４の内方端に成形した支持片３４５に支持される部位であり、その複数箇所（図示例では、三箇所）に下方に突き出す装着ピン３５３を設けてある。被支持片３５２の各装着ピン３５３をそれぞれ支持片３４５のカバー装着孔３４６に挿入し、被支持片３５２を支持片３４５に載せた状態に保定することにより、配線立ち上げカバー３５のトレイ３４への装着がなされる。このとき、支柱被覆体３５１の下端部がアーム３１よりも下方に位置づけられ、支柱１の上端部の外周に近接する。また、被支持片３５２の上面がトレイ３４の底壁３４１の上面と略面一となる。
【００４６】
天板４は、平面視円形状をなすもので、天板支持部３１３（の水平片３１５）上に載置して固定し、脚支柱１の上端から上方に間隙を隔てて支持する。本実施形態にあって、天板４は、平面視略円形状の開口部４１を有している。開口部４１の内周には、内方に膨出した曲面状の内面を有した周縁部材４１１を取り付ける。周縁部材４１１は、弾性変形可能であってもよく、弾性変形不能であってもよい。
【００４７】
天板４の開口部４１内には、着脱自在の蓋体５を装着することができる。蓋体５は、開口部４１の開口端縁即ち内周縁との間に平面視一周連続した環状の配線挿通空間４２を形成しながら、開口部４１の配線挿通空間４２以外の部分を閉塞するもので、少なくともその外周縁部が弾性変形可能となっている。本実施形態では、蓋体５の全体を変形容易な軟質合成樹脂成形品としている。この蓋体５は、平面視略円形状をなす外周を厚肉に、それよりも内側を薄肉に成形しており、その下面に係合爪５１を平面視環状に突出させて設けている。係合爪５１は、脚構造体の上端部に設けた蓋体受け６に係合する。加えて、蓋体５の下面、係合爪５１よりも内側には、やはり平面視環状をなす凸部が存在している。この凸部は、下記接続部６１の内周に係合する。
【００４８】
蓋体受け６は、脚構造体の上端部、換言すれば天板受け３の上プレート３３の上面に固定する。蓋体受け６は、上下に延伸する筒状の接続部６１と、接続部６１の内周に溶接等により固着した内底板６２と、接続部６１の外周に溶接等により固着した鍔板６３と、接続部６１の上端部から外側方に拡張している係合板６４とを備える。内底板６２の中心には、ねじ挿通孔６２１を穿っている。
【００４９】
蓋体受け６を上プレート３３に、ひいては脚構造体に固定するには、接続部６１の下端面を上プレート３３の上面に当接させた上、接続部６１内の内底板６２のねじ挿通孔６２１に上方から雄ねじ部材６５の軸部を挿し通して、これを上プレート３３の雌ねじ孔３３２に螺合させる。脚構造体に固定した蓋体受け６の鍔板６３の上面は、トレイ３４の底壁３４１の上面と略面一となるが、鍔板６３の外方端と底壁３４１の内方端との間にはコード類を通過させることのできる程度の空隙が形成される。また、係合板６４が、天板４の開口部４１内に位置づけられる。
【００５０】
そして、蓋体５下面の係合爪５１を係合板６４の外周に係合させることを通じて、蓋体５を取り付け、天板４の開口部４１の大部分を閉塞状態とすることができる。係合爪５１は弾性変形可能であるので、係合爪５１と係合板６４との係わり合いを解除してこの蓋体５を取り外し、天板４の開口部４１を開放状態とすることも任意に可能である。天板４の開口部４１（その一部である配線挿通空間４２を含む）、またはトレイ３４上の配線具配置空間は、蓋体受け６の鍔板６３とトレイ３４の内方端との空隙、並びに天板受け３の上プレート３３の配線用開口３３２を介して、支柱１内の配線通路１４に連通する。
【００５１】
本実施形態の天板付家具には、オプション部材たる棚７を取り付けることが可能である。棚７は、トレイ３４と同様、天板４の下方にあって、天板４との間に配線具配置空間を形成する。この棚７は、図１２に示しているように、棚板７１と、各棚板７１を支持する支持ブラケット７２とを要素とする。
【００５２】
棚板７１は、全体としてドーナツ板状をなすもので、アーム３１に対して着脱自在である。棚板７１もまた、アーム３１間の間隙の数と同数（図示例では、四枚）に分かたれている。各棚板７１は、平面視略扇形をなす薄板で、その内周端縁及び外周端縁には平面視略部分円弧状の補強フレーム７１１を一体成形している。
【００５３】
支持ブラケット７２は、アーム３１の天板支持部３１３に掛け止めることのできる部材である。支持ブラケット７２は、略水平な支持面を有し棚板７１の周方向両側部を下方から支持する支持体７２１と、支持体７２１の内方端部から起立する起立壁７２２と、支持体７２１の側縁及び起立壁７２２の側縁に接合した側壁７２３と、起立壁７２２からさらに内方に延出した掛止部７２４とを備えてなる。掛止部７２４は、平面視側壁７２３に対して支持体７２１側に偏倚している。そして、この掛止部７２４に、取付爪７２５を形成している。取付爪７２５は、側壁７２３側に向けて略水平に突き出している。取付爪７２５の先端部分は、基端部分よりも幅寸が大きくなるように径方向に拡張している。
【００５４】
支持ブラケット７２をアーム３１に取り付けるには、取付爪７２５を天板支持部３１３に穿ってある取付孔３１６の上部に挿入し、側壁７２３の内方端部を天板支持部３１３の側面に当接させた上、その支持ブラケット７２を下方に落として取付爪７２５を取付孔３１６の下部に係合させればよい。
【００５５】
隣り合う二本のアーム３１の天板支持部３１３に支持ブラケット７２をそれぞれ取り付け、それら支持ブラケット７２の支持体７２１に棚板７１の周方向両側部を載せ置くことにより、棚板７１をトレイ３４の外周側に装着することができる。各棚板７１を装着した状態では、一の棚板７１の側端面が、隣接する他の棚板７１の側端面に当接または極近接する。
【００５６】
棚７を設置するに際して、支持ブラケット７２とともに補助ブラケット７３を併用してもよい。補助ブラケット７３は、略水平な支持面を有し棚板７１の周方向中間部を下方から支持する支持体７３１と、支持体７３１の側縁に接合した側壁７３２とを備えており、側壁７３２の上端部が略水平に屈折している。補助ブラケット７３は、側壁７３２を棚板７１に穿ってあるスロット孔７１２に通した状態で、その上端部を天板４の下面にねじ止めまたは溶接等して取り付ける。
【００５７】
本実施形態では、棚板７１とこれを支持するブラケット７２、７３とを別体としているが、支持ブラケット７２の側壁７２３及び／または補助ブラケット７３の側壁７３２を棚板７１に一体的に設けることを妨げない。
【００５８】
本実施形態の天板付家具にコード類を配線する手順を述べると、まず、脚支柱１の開口１５からキャップ１７を取り外し、脚支柱１内の配線通路１４を外部に開放する。次に、配線通路１４の下方に位置するベース２のカバー部材２４、並びに配線通路１４の上方に位置するトレイ３４を取り外して、カバー部材２４が遮蔽している床上空間、トレイ３４が遮蔽している配線具配置空間を露出させる。そして、床上空間から立ち上げるコード類の中間部を、配線通路１４内に側方から挿入して配置する。しかる後、キャップ１７、カバー部材２４及びトレイ３４をそれぞれ再装着して、配線通路１４、床上空間及び配線具配置空間を隠蔽する。コード類は、必要に応じて、天板４の開口部４１を介して天板４上に引き出し、またはトレイ３４に載置した配線具等に接続する。
【００５９】
本実施形態に係るテーブルの構成によれば、脚支柱１から４本のアーム３１を放射状に延伸させて設け、これらのアーム３１に天板４をそれぞれ下方から支持させるとともに、前記アーム３１により前記トレイ３４をも支持させているので、前記脚支柱１や前記天板３１にはトレイ３４と接続するための特別な加工を施す必要がなく、少ない部品点数及び少ない加工工数によりこのようなテーブルにトレイ３４を設置することができる。しかも、前記脚支柱１内の配線通路１４と前記トレイ３４上方の空間すなわち前記配線具配置空間とを連通させているので、前記配線通路１４内に配線を収納して見栄えを整えることができるとともに、前記配線通路１４内に収納した配線を前記トレイ３４に支持させた給電コンセント、通信ネットワーク用ハブ等の配線具に接続し、この配線具にさらに前記天板４上に配置した機器からの配線を接続する態様を実現できる。
【００６０】
また、前記トレイ３４を着脱可能に構成しているので、トレイ３４が不要である場合に完全に取り外すことができ、従って、より多様な使用態様に対応することができる。
【００６１】
さらに、前記脚支柱１に前記配線通路１４を遮蔽するキャップ１７を着脱可能に設けているとともに、前記キャップ１７の上方に前記トレイ３４を着脱可能に装着するようにしているので、キャップ１７及びトレイ３４を取り外した状態で、配線通路１４内と前記配線具配置空間となるべき空間とを完全に連続させ、この空間に床面等から導出させた既設の配線を投げ込むことができる。従って、本実施形態のテーブルの構成により、配線作業の利便性の向上をも図ることもできる。
【００６２】
加えて、前記トレイ３４を挟んで前記脚支柱と反対側に棚板７１を有する棚７をさらに取り付け可能であるので、トレイ３４の外側に棚７を取り付けて天板４の下方において配線具等の物品を載せ置くことができる空間を拡張し、このようなテーブルをさらに有効に利用することができる。
【００６３】
特に、前記棚７に設けた取付爪７２５と、前記アーム３１に設けた取付孔３１６とを互いに係り合わせてなるオプション取付部を有するので、取付爪７２５と取付孔３１６とを係わり合わせることで棚７の取り付けを行うことができ、従って、トレイ３４の外側へのオプション部材たる棚７の取り付け作業に要する手間を少なくできる。
【００６４】
そして、前記アーム３１により天板４を支持し、この天板４の下方にトレイ３４を配設し、前記天板４上方の空間と、前記天板４及び前記トレイ３４の間の空間すなわち前記配線具配置空間とを連通させているので、前記配線通路１４内に収納した配線を前記トレイ３４に支持させた配線具に接続した上で、この配線具にさらに前記天板４上に配置した機器からの配線を接続する態様を実現できる。
【００６５】
なお、本発明は以上に述べた実施形態に限られない。
【００６６】
例えば、上述した実施形態では、配線支持具たるトレイを全て着脱可能なものにしているが、前記支柱内の配線通路の上方に位置するトレイのみを着脱可能なものにしても、このトレイを取り外して既存の配線を投げ込むことが可能であるという効果は得られる。また、既存の配線の位置に関係なくこのような天板付き家具を配置する場合には、トレイは着脱可能でなくてもよい。
【００６７】
また、前記上述した実施形態では、支柱内の配線通路を遮蔽するキャップを着脱可能に設けているが、このキャップを省略して配線通路を常時外部に露出するようにしてもよく、また、このキャップを支柱に蝶番等の取付部材を介して前記配線通路を遮蔽する状態と前記配線通路を外部に露出する状態との間で変化可能に取り付けるようにしてもよい。
【００６８】
さらに、オプション部材として、上述した実施形態に述べた棚以外に、例えば給電コンセント等を取り付け可能にしてもよく、また、オプション部材取付部を省略してもよい。
【００６９】
加えて、上述した実施形態では、天板に開口部を設け、この開口部を介して天板上方の空間と天板と配線支持具たるトレイとの間の配線具配置空間を連通させているが、この天板の開口部は必ずしも設ける必要はない。
【００７０】
そして、配線支持具としては、トレイに限らず、例えば網棚等、配線具を載せ置くことが可能な部材であればどのような部材を取り付けるようにしてもよい。さらに、脚の上端にアームを設けて天板を支持させるテーブルに限らず、脚の中間部に設けたアームに天板や棚板等の家具用部材を支持させる構造の家具に本発明を適用してもよい。
【００７１】
加えて、天板は平面視円形状である必要はなく、例えば平面視正方形状をなすものや平面視長方形状をなすものや平面視楕円形状をなすものであってもよい。
【００７２】
その他、本発明の趣旨を損ねない範囲で種々に変更してよい。
【符号の説明】
【００７３】
１…脚支柱（支柱）
１４…配線通路
１７…キャップ
３１…アーム
３１６…取付孔
３４…トレイ（配線支持具）
４…天板（家具用部材）
７…棚（オプション部材）
７２５…取付爪
【図１】
2011050507.tif 000003
【図２】
2011050507.tif 000004
【図３】
2011050507.tif 000005
【図４】
2011050507.tif 000006
【図５】
2011050507.tif 000007
【図６】
2011050507.tif 000008
【図７】
2011050507.tif 000009
【図８】
2011050507.tif 000010
【図９】
2011050507.tif 000011
【図１０】
2011050507.tif 000012
【図１１】
2011050507.tif 000013
【図１２】
2011050507.tif 000014
【図１３】
2011050507.tif 000015
【図１４】
2011050507.tif 000016
【図１５】
2011050507.tif 000017
【図１６】
2011050507.tif 000018
【図１７】
2011050507.tif 000019
【図１８】
2011050507.tif 000020